(57)【特許請求の範囲】
【請求項１】
紙葉類の受入れを許容する受入口と、
前記紙葉類の返却を許容する第１取出口と、
前記紙葉類の送出を許容する第２取出口と、
前記紙葉類の真偽及び種類を識別する識別部と、
受入れた前記紙葉類を種類別に収納する種類別紙葉類収納庫と、
前記受入口、前記第１取出口、前記第２取出口、前記識別部及び前記種類別紙葉類収納庫を接続し、前記紙葉類を搬送する搬送路と、
前記紙葉類の受入れの際に、
前記識別部でリジェクトと識別された紙葉類をリジェクト紙葉類として第１取出口へ搬送し、
前記識別部で前記リジェクト紙葉類でないと識別された正常紙葉類のうち前記種類別紙葉類収納庫が設定された種類の紙葉類を該当する前記種類別紙葉類収納庫へ搬送し、前記種類別紙葉類収納庫の設定されていない種類の紙葉類を第２取出口へ搬送するよう前記搬送路を制御する制御部とを備えた
紙葉類取扱装置。
【請求項２】
受入れた前記紙葉類を一時的に保留する一時保留部を備え、
前記制御部は、
前記種類別紙葉類収納庫の設定された種類の紙葉類を、前記一時保留部に搬送して保留してから、該当する前記種類別紙葉類収納庫に搬送制御する
請求項１に記載の紙葉類取扱装置。
【請求項３】
前記制御部は、
前記種類別紙葉類収納庫に収納した前記紙葉類の送出の際に、
前記識別部でリジェクトと識別されたリジェクト紙葉類を第１取出口へ搬送制御し、前記識別部で前記リジェクト紙葉類でないと識別された正常紙葉類を第２取出口へ搬送制御する
請求項１又は２に記載の紙葉類取扱装置。
【請求項４】
前記種類別紙葉類収納庫を複数備え、
前記識別部は、
前記種類別紙葉類収納庫で種類別に収納する種類数以上の種類を識別する
請求項１、２又は３に記載の紙葉類取扱装置。
【請求項５】
前記取出口のうち少なくとも第２取出口に、
前記制御部によって動作制御され、当該取出口に収容された紙葉類の取り出しを規制する取出口シャッタを備えた
請求項１から４のうちいずれかに記載の紙葉類取扱装置。
【請求項６】
紙葉類を受入れる受入口と、前記紙葉類を送出する取出口と、受入れた前記紙葉類を種類別に収納する種類別紙葉類収納庫と、少なくとも前記紙葉類の種別を識別する識別部と、前記紙葉類を計数する計数部と、送出する紙葉類の金種及び枚数を表示する表示部と、総払出量を入力する入力装置と、少なくとも前記識別部、前記計数部、前記表示部及び前記入力装置を制御する制御部とを備えた紙葉類取扱装置を用い、
前記受入口から受入れた紙葉類を識別する識別工程と、
識別された紙葉類を計数する計数工程と、
計数された紙葉類のうち前記種類別紙葉類収納庫の設定された種類の紙葉類を該当する前記種類別紙葉類収納庫へ収納し、前記種類別紙葉類収納庫の設定されていない種類の紙葉類を前記取出口に送出する紙葉類振分け工程と、
前記取出口から送出された紙葉類を手元保管庫に保管させる保管工程と、
前記入力装置を操作して総払出量を入力させる総払出量入力工程と、
入力された総払出量に基づいて、前記種類別紙葉類収納庫に収容された紙葉類と前記手元保管庫に保管された紙葉類とのそれぞれの払出量を決定する払出量決定工程と、
前記種類別紙葉類収納庫に収容された紙葉類を、前記払出量決定工程で決定された払出量に基づいて前記取出口へ送出する送出工程と、
前記手元保管庫に保管された紙葉類の前記払出量を前記表示部に表示する手元保管紙葉類払出量表示工程と、
前記表示部に表示された払出量を前記手元保管庫に保管した紙葉類から払い出させる手元保管紙葉類払出工程とを備えた
紙葉類取扱方法。
【発明の詳細な説明】
【技術分野】
【０００１】
本発明は紙葉類取扱装置及び紙葉類取扱方法に係り、特に金融機関等の窓口に設置され、係員の操作によって紙幣等の紙葉類を取扱う紙葉類取扱装置及び紙葉類取扱方法に関する。
【背景技術】
【０００２】
銀行業務の省力化のために、銀行窓口で使用される紙葉類取扱装置として、例えば特開平８−１２３９８９号公報に開示されたものがある。この紙葉類取扱装置は、内部に受け入れた紙幣を金種毎に収納する金種別紙幣収納庫を備えている。例えば、日本国内において、紙葉類である紙幣の取り扱う金種数は、万円、千円、五千円、二千円の４金種であるため、４つの金種別紙幣収納庫を備えている。
【０００３】
日本以外の国においては金種が４つ以上の国はたくさんあり、例えばユーロ通貨においては７金種が紙幣として存在する。このように、金種数の多い国のテラー向けに上記特許文献１で示されたような紙葉類取扱装置を使用する場合、その国の金種数に応じた数の金種別紙幣収納庫を備えることができる。しかし、その場合、紙葉類取扱装置が大型化したり、装置の値段が高くなってしまう。
【０００４】
また、このように金種数が多い国の場合、全ての金種の紙幣が平均的な流通量で流通せず、流通量の多い金種と少ない金種があることが多い。そのため、金種数の多い国においても、金種数より金種別紙幣収納庫の数が少ない紙葉類取扱装置を使用することがある。
【０００５】
この場合の紙葉類取扱装置は、流通量の多い金種を金種別紙幣収納庫に収納し、流通量の少ない金種を回収庫に収納する構成である。この回収庫には、流通量が少なく金種別紙幣収納庫が設定されていない複数の金種の紙幣が混ざり合って収納されている。このため、このような紙葉類取扱装置は回収庫に収納された紙幣を再使用することができずに死に金になるという問題があった。
【０００６】
【特許文献１】特開平８−１２３９８９号公報
【発明の開示】
【発明が解決しようとする課題】
【０００７】
この発明は、上述の問題点に鑑み、装備した種類別紙葉類収納庫の種類数より取り扱う紙葉類の種類が多い場合であっても、装置本体を大型化することなく、送出不可の紙葉類を減らして紙葉類の再使用率を向上することのできる紙葉類取扱装置及び取扱方法を提供することを目的とする。
【課題を解決するための手段】
【０００８】
この発明は、紙葉類の受入れを許容する受入口と、前記紙葉類の返却を許容する第１取出口と、前記紙葉類の送出を許容する第２取出口と、前記紙葉類の真偽及び種類を識別する識別部と、受入れた前記紙葉類を種類別に収納する種類別紙葉類収納庫と、前記受入口、前記第１取出口、前記第２取出口、前記識別部及び前記種類別紙葉類収納庫を接続し、前記紙葉類を搬送する搬送路と、前記紙葉類の受入れの際に、前記識別部でリジェクトと識別された紙葉類をリジェクト紙葉類として第１取出口へ搬送し、前記識別部で前記リジェクト紙葉類でないと識別された正常紙葉類のうち前記種類別紙葉類収納庫が設定された種類の紙葉類を該当する前記種類別紙葉類収納庫へ搬送し、前記種類別紙葉類収納庫の設定されていない種類の紙葉類を第２取出口へ搬送するよう前記搬送路を制御する制御部とを備えた紙葉類取扱装置であることを特徴とする。
【０００９】
これにより、受け入れた紙葉類を識別部で識別し、リジェクト紙葉類を第１取出口まで搬送して返却し、正常紙葉類のうち種類別紙葉類収納庫が設定された種類の紙葉類は該当する種類別紙葉類収納庫に収納し、種類別紙葉類収納庫が設定されていない種類の紙葉類を第２取出口まで搬送して送出することができる。
【００１０】
したがって、紙葉類取扱装置内において正常紙葉類を種類別に収納し、種類別紙葉類収納庫が設定されていない種類の正常紙葉類を装置から送出して、装置外で保管することができる。よって、紙葉類取扱装置に装備した種類別紙葉類収納庫の種類数より取り扱う種類が多い場合であっても、各種紙葉類を種類別に収納或いは保管でき、いずれに収納された紙葉類であっても再使用することができる。また、リジェクトと識別されたリジェクト紙葉類を受け入れずに返却するため、紙葉類取扱装置で取り扱う紙葉類にリジェクト紙葉類が混ざることがなく、紙葉類取扱装置で取り扱う紙葉類の信頼性を向上することができる。
【発明の効果】
【００１１】
この発明により、装備した種類別紙葉類収納庫の種類数より取り扱う紙葉類の種類が多い場合であっても、装置本体を大型化することなく、送出不可の紙葉類を減らして紙葉類の再使用率を向上することのできる紙葉類取扱装置及び取扱方法を提供することができる。
【発明を実施するための最良の形態】
【００１２】
以下、本発明の一実施例について、図とともに説明する。  
図１は紙葉類取扱装置及び窓口端末装置の概観図を示し、図２は紙葉類取扱装置の概略側方断面図を示し、図３は紙葉類取扱装置の制御ブロック図を示している。
【００１３】
図１に示すように、係員が顧客情報や取引情報などを扱うための２台の窓口端末装置１と、紙葉類に対応する紙幣の払出しや預け入れを行う紙葉類取扱装置２とが通信線３によって接続されている。
【００１４】
窓口端末装置１は、パーソナルコンピュータであり、紙幣入出金に伴う種々の情報を処理する処理装置（プロセッサ）、記憶装置、表示装置１５１及び入力装置１５２を備えている。
【００１５】
紙葉類取扱装置２は、預け入れを開始する際に係員によって押下されるスタートボタン４と、紙葉類取扱装置２内に紙幣を取り込むための受入口に対応する入金口５、紙幣を紙葉類取扱装置２内から紙葉類を取り出すための第２取出口に対応する出金口６、紙葉類取扱装置２内において識別されたリジェクト紙葉類を返却するための第１取出口に対応する返却口７を備えている。
【００１６】
また、紙葉類取扱装置２は、払出し占有状況を通知するための払出し占有ランプ８や、障害発生を通知するための障害ランプや、預け入れ占有状況を通知するための預け入れ占有ランプ、障害内容などの文言を表示して通知する表示器等を備えている。
【００１７】
さらに、図２に示すように、紙葉類取扱装置２内部には、紙葉類取扱装置２内の各部位に紙幣を搬送する搬送路２０、紙幣の搬送方向を切り替えるゲート２１、紙幣の種類及び真偽等の識別する識別部２２、紙幣の繰り出しと収納が可能な種類別紙葉類収納庫に対応する紙幣収納庫２４、回収する紙幣を収納する回収庫２５、入金した紙幣を一時的に保管する一時保留部２６、紙幣収納庫２４を取り出す際に引き出すことができるトレー部２７を備えている。なお、この例では金種別に４個の紙幣収納庫２４（２４ａ，２４ｂ，２４ｃ，２４ｄ）を装備している。  
なお、識別部２２は、紙幣収納庫２４に収納する金種以外の金種についても真偽判別を実行することができる。
【００１８】
また、紙葉類取扱装置２には、紙幣の通過を検出する通過センサ、紙幣の抜き取りを検知する抜き取り検知センサ、トレー部２７の引き出しを検知するトレー部引き出し検知センサを備えている。
【００１９】
図３に示すように、紙葉類取扱装置２は、業務処理部１０と搬送処理部１１とで構成されている。  
業務処理部１０は、２台の窓口端末装置１の排他制御や各部位を制御する業務処理部主制御部１０１と、窓口端末装置１との通信を制御する上位通信制御部１０２と、ボタン制御部１０３と、ブザー制御部１０４と、ランプ制御部１０５と、表示器制御部１０６と、搬送処理部１１との通信を制御する下位通信制御部１０７と、時計制御部１０８と、業務処理部１１の設定情報を記憶するための記憶部１０９とで構成され、上記各部位のそれぞれは業務処理部主制御部１０１に接続されている。
【００２０】
搬送処理部１１は、紙幣の搬送を制御する搬送処理主制御部１１０と、業務処理部１０との通信を制御する上位通信制御部１１１と、センサ制御部１１２と、ゲート制御部１１３と、搬送モータ制御部１１４と、搬送路移動量計数部１１５と、小切手や紙幣の識別を行う識別処理部１１６と、入金口５制御部１１７と、取出口制御部１１８と、収納庫制御部１１９と、一時保留庫制御部１２０と、搬送処理部の設定情報を記憶するための記憶部１２１とで構成され、上記各部位のそれぞれが搬送処理主制御部１１０に接続されている。
【００２１】
続いて、図４〜８とともに、窓口端末装置１及び葉類取扱装置２を用いた紙幣の預け入れ業務における紙幣預入処理について説明する。なお、図４，５は紙幣預け入れ業務の処理フローを示し、図６は紙幣預入処理における紙幣の取扱いについて説明する説明図を示し、図７は紙幣預入処理における紙幣の搬送部位について説明する説明図を示し、図８は紙幣預入処理における窓口端末装置１の表示装置１５１の表示について説明する説明図を示している。
【００２２】
以下の説明では、ユーロ通貨を取り扱う国において、紙葉類取扱装置２を使用して、１０ユーロ紙幣１０枚、２００ユーロ紙幣５枚の預入を行う場合の処理について説明する。なお、ユーロ通貨には５，１０，２０，５０，１００，２００，５００ユーロという７種類の金種の紙幣があり、本実施例において、紙葉類取扱装置２に装備した４つの紙幣収納庫２４を、１００ユーロ紙幣を収納する１００ユーロ紙幣収納庫２４ａ、５０ユーロ紙幣を収納する５０紙幣収納庫２４ｂ、２０ユーロ紙幣を収納する２０紙幣収納庫２４ｃ、１０ユーロ紙幣を収納する１０紙幣収納庫２４ｄに設定している。
【００２３】
紙幣の預け入れ業務を開始する場合、係員によって入力装置１５２が操作されて窓口端末装置１で紙幣の預け入れ業務が選択されると（ステップｓ２０１）、窓口端末装置１は入金占有を紙葉類取扱装置２に通知し（ステップｓ２０２）、紙葉類取扱装置２は占有ランプを点灯させ、窓口端末装置１に占有成功を通知する（ステップｓ２０３）。
【００２４】
窓口端末装置１は、紙幣を入金口５へセットするガイダンスを表示装置１５１に表示する（ステップｓ２０４）。このガイダンス表示を確認した係員によって、図６に示すように、紙幣が入金口５から投入され、スタートボタン４が押下されると（ステップｓ２０５）、紙葉類取扱装置２は搬送路２０を動作させ（ステップｓ２０７）、入金口５からの繰り出しを開始するとともに（ステップｓ２０８）、入金口５から繰り出された紙幣を識別工程により識別部２２で識別する。
【００２５】
詳述すると、識別の結果が正常かつ紙幣収納庫２４の設定された紙幣（本例の場合は、１０ユーロ紙幣１０枚）は一時保留部２６に収納される。正常な紙幣と識別されたが、紙幣収納庫２４の設定されていない紙幣（本実施例の場合は、２００ユーロ紙幣５枚）は、図７に示すように、出金口６まで搬送される。取り扱い不可と識別されたリジェクト紙幣は返却口７から返却される。
【００２６】
そして、入金口５にセットされた紙幣が無くなるか、返却口７、一時保留部２６或いは出金口６が満杯になったことが検出されると（ステップｓ２０９）、紙葉類取扱装置２は、入金口５からの繰り出し及び搬送路２０の搬送動作を停止する（ステップｓ２１０，ｓ２１１，ｓ２１２）。
【００２７】
その後、業務処理主制御部１０１（図３）は、計数工程に対応するように、上位通信制御部１０２を介して入金金額と、一時保留部２６に収納した装置で管理されている装置管理紙幣の金額と、出金口６に収納した手元管理紙幣の金額を窓口端末装置１に通知する（ステップｓ２１３）。
【００２８】
窓口端末装置１は、図８に示すように、紙幣の預け入れが成功したことと、入金受付金額を表示装置１５１に表示して係員に通知する（ステップｓ２１４）。  
このとき、紙幣収納庫２４に収納した金額を装置管理金額として表示し、手元保管庫に対応する手元金庫１６０で係員に管理させる金額を手元管理金額として表示する。なお、手元管理金額は金種とそれぞれの枚数を表示してもよい。
【００２９】
表示装置１５１に表示された入金結果を確認した係員によって、窓口端末装置１の確認ボタンが押下されると（ステップｓ２１５）、窓口端末装置１は紙葉類取扱装置２に紙葉類振分け工程に対応する入金紙幣の収納を指示する（ステップｓ２１６）。業務処理主制御部１０１は、記憶部１０９に記憶している紙幣の入金在高を更新する（ステップｓ２１７）。
【００３０】
また、紙葉類取扱装置２は、取出口制御部１１８に出金口６の取出口シャッタに対応するシャッタを開けるように指示するとともに（ステップｓ２１９）、搬送モータを起動し（ステップｓ２１８）、一時保留部２６に保留されていた紙幣の繰り出しを開始する（ステップｓ２２４）。
【００３１】
係員に対して出金口６からの紙幣の抜き取りを促すため、業務処理主制御部１０１は払出し占有ランプ８を点滅させるようランプ制御部１０５に指示し（ステップｓ２２０）、搬送処理主制御部１１０は出金口６からの係員による紙幣の抜き取りを抜き取りセンサ２０９で監視する（ステップｓ２２２）。
【００３２】
出金口６に搬送された紙幣の係員による抜き取り（ステップｓ２２１）を抜き取りセンサ２０９が検出すると（ステップｓ２２２）、搬送処理主制御部１１０は、取出口制御部１１８に出金口６のシャッタを閉めるように指示する（ステップｓ２２３）。最後に、払出し占有ランプ８を消灯するようにランプ制御部１０５を制御する。
【００３３】
一方、一時保留部２６から繰り出された紙幣は、識別部２２で識別され、識別の結果、正常な紙幣はその金種に応じた紙幣収納庫２４に収納され、搬送状態が悪く紙幣収納庫２４に収納できないと識別された紙幣、すなわち還流に適さない還流不適切紙葉類に対応する紙幣は、回収庫２５まで搬送されて収納される（ステップｓ２２４）。
【００３４】
このようにして、一時保留部２６が空になると（ステップｓ２２５）、紙葉類取扱装置２は、一時保留部２６からの繰り出し及び搬送路２０の搬送動作を停止する（ステップｓ２２６，ｓ２２７，ｓ２２８）。業務処理主制御部１０１は、上位通信制御部１０２を介して収納処理が終了したことを窓口端末装置１に通知する（ステップｓ２２９）とともに、入金占有ランプを消灯し（ステップｓ２３０）、入金処理を終了する。  
保管工程により、出金口６から取出された紙幣が係員によって手元金庫１６０に収納され（ステップｓ２３１）、紙幣の預け入れ処理は完了する。
【００３５】
次に、図９〜１１とともに、紙幣の払出し業務における払出し処理について説明する。なお、図９は紙幣払出し業務の処理フローを示し、図１０は紙幣払出し処理における紙幣の取扱いについて説明する説明図を示し、図１１は紙幣払出し処理における窓口端末装置１の表示装置の表示について説明する説明図を示している。
【００３６】
まず、紙幣の払出し業務を行う場合、窓口端末装置１で係員によって紙幣の払出し業務が選択され、総払出し量入力工程において払い出す紙幣の金額（例えば１１００ユーロ）、あるいは金種と枚数（例えば５００ユーロ札２枚と１００ユーロ札１枚）の入力を受け付ける（ステップｓ３０１）。
【００３７】
窓口端末装置１は、通信線３を介して入力された枚数情報のうち、払出し量決定工程に対応するように、紙葉類取扱装置から払い出す紙幣の枚数（１００ユーロ札１枚）を紙葉類取扱装置２に通知する（ステップｓ３０２）。
【００３８】
業務処理主制御部１０１は、１００ユーロ札の払出しが可能か否かを識別し、可能であれば払出し占有ランプ８を点灯するようにランプ制御部１０５に指示する（ステップｓ３０５）。そして、業務処理主制御部１０１は、下位通信制御部１０７を介して搬送処理主制御部１１０に１００ユーロ札を１枚繰り出すよう指示する。
【００３９】
また、手元保管紙葉類払出し量表示工程に対応するように、窓口端末装置１は手元金庫１６０に保管した手元管理紙幣の払出し枚数を表示装置１５１に表示して（５００ユーロ札２枚）、係員に紙幣を準備するよう促す（ステップｓ３０３）。搬送処理主制御部１１０は、出金口６に紙幣を搬送する方向へゲート２１を切り替えるようにゲート制御部１１３に指示し（ステップｓ３０６）、搬送路２０を移動させるように搬送モータ制御部１１４に指示する（ステップｓ３０７）。
【００４０】
次に、搬送処理主制御部１１０は、収納庫制御部１１９に１００ユーロ紙幣収納庫２４ａから１００ユーロ札の紙幣を繰り出すように指示する送出工程を行い（ステップｓ３０８）、複数の通過センサ２８で紙幣の通過を監視する。
【００４１】
そして、紙幣が通過するたびに識別部２２は、紙幣の真偽を識別し、出金口６に紙幣を搬送する。識別部２２でリジェクトと識別されたリジェクト紙幣がなく、指定枚数繰り出しが完了したら（ステップｓ３０９）、搬送処理主制御部１１０は、収納庫制御部１１９に紙幣収納庫２４からの紙幣の繰り出しを停止するように指示する（ステップｓ３１０）。
【００４２】
そして、搬送処理主制御部１１０は、搬送路２０を搬送する紙幣がなくなるまで待機し（ステップｓ３１１）、搬送モータ制御部１１４に搬送路２０を停止するように指示する（ステップｓ３１２）。
【００４３】
その後、業務処理主制御部１０１は、図１１に示すように、上位通信制御部１０２を介して１００ユーロ札の１枚の払出しが終了したことを通知する（ステップｓ３１３）。窓口端末装置１は紙幣の払出しが成功したことを表示して係員に通知する（ステップｓ３１４）。
【００４４】
搬送処理主制御部１１０は、取出口制御部１１８に出金口６のシャッタを開けるように指示する（ステップｓ３１５）。係員に出金口６から紙幣を抜き取るよう促すため、業務処理主制御部１０１は、払出し占有ランプ８を点滅させるようランプ制御部１０５に指示する（ステップｓ３１６）。搬送処理主制御部１１０は、出金口６から係員による紙幣の抜き取りを抜き取りセンサ２０９で監視する（ステップｓ３１７）。
【００４５】
出金口６に搬送された１枚の１００ユーロ札の係員による抜き取りを抜き取りセンサ２０９が検出すると（ステップｓ３１８）、搬送処理主制御部１１０は取出口制御部１１８に出金口６のシャッタを閉めるように指示する（ステップｓ３１９）。
【００４６】
最後に、業務処理主制御部１０１は、記憶部１０９に記憶している紙幣の在高を更新し（ステップｓ３２０）、払出し占有ランプ８を消灯するようにランプ制御部１０５を制御する（ステップｓ３２１）。
【００４７】
手元保管紙葉類払出し工程により係員によって手元金庫１６０から取り出された紙幣と、紙葉類取扱装置２から払い出された紙幣とが、係員によって顧客に渡されて（ステップｓ３２２）、紙幣の払出し処理は完了する。
【００４８】
このように、上記紙幣預入処理及び払出し処理により、係員は、紙幣の預け入れ時に紙葉類取扱装置２に紙幣収納庫２４が設定されていない金種を手扱いにして手元金庫１６０に保管し、手元金庫１６０に保管した紙幣の払出しに利用するため、紙幣の再使用率を向上させることができる。  
また、紙幣預け入れ時に、一旦紙葉類取扱装置２で手扱い紙幣の枚数も計数するので、手扱い紙幣の正確な枚数をカウントし、管理することができる。
【００４９】
また、上記紙幣預入処理及び払出し処理のいずれにおいても、識別部２２でリジェクト紙幣を識別しているため、紙葉類取扱装置２から払出される紙幣にリジェクト紙幣がまざることがなく、紙葉類取扱装置２から払出される紙幣の信頼性を向上することができる。
【００５０】
さらに、識別部２２でリジェクト紙幣でないと識別された正常な紙幣であっても、搬送状態が悪く紙幣収納庫２４に収納できないと識別された紙幣、すなわち還流に適さない還流不適切紙幣を回収庫２５で回収できるため、紙葉類取扱装置２から払出される紙幣の信頼性をさらに向上することができる。
【００５１】
次に、上記払出し処理においてリジェクト紙幣が生じた場合について図１２〜１４とともに説明する。なお、図１２はリジェクト紙幣が生じた場合の紙幣払出し処理のうち追加されている部分の処理フローを示し、図１３は同状態の紙幣払出し処理における紙幣の搬送部位について説明する説明図を示し、図１４は同状態の紙幣払出し処理における表示装置１５１の表示について説明する説明図を示している。
【００５２】
払出し処理においてリジェクト紙幣が生じた場合のリジェクト処理は、図９におけるステップｓ３０１〜ｓ３２２に示す紙幣の払出し処理において、ステップｓ３０８の搬送処理主制御部１１０の紙幣繰り出し指示に基づいて通過する紙幣を識別部２２が識別した結果、識別部２２が当該紙幣をリジェクトと識別した場合の処理である。このとき、識別部２２によってリジェクトと識別されたリジェクト紙幣を返却口７に搬送する。
【００５３】
そして、搬送処理主制御部１１０は、返却口制御部１３１に返却口７のシャッタを開けるように指示するともに（ステップｓ３３０）、係員に返却口７からの紙幣の抜き取りを促すため、業務処理主制御部１０１は、払出し占有ランプ８を点滅させるようランプ制御部１０５に指示する（ステップｓ３３１）。
【００５４】
さらに、搬送処理主制御部１１０は、リジェクト紙幣の取出口７からの抜き取りを抜き取りセンサで監視し（ステップｓ３３２）、返却口７に搬送されたリジェクト紙幣の係員による抜き取りを抜き取りセンサが検出すると（ステップｓ３３３）、搬送処理主制御部１１０は、返却口制御部１３１に返却口７のシャッタを閉めるように指示する（ステップｓ３３４）。
【００５５】
そして、窓口端末装置１は、リジェクト紙幣を入金口５へセットするガイダンスを表示装置１５１に表示する（ステップｓ３３５）。このガイダンスを確認した係員によって紙幣が入金口５から投入され、スタートボタン４を押下されると（ステップｓ３３６）、紙葉類取扱装置２は搬送路２０を動作させ（ステップｓ３３７）、入金口５からの繰り出しを開始する（ステップｓ３３８）。そして入金口５から繰り出されたリジェクト紙幣は、識別部２２で再識別される。
【００５６】
詳しくは、再識別の結果、一度はリジェクト紙幣と識別された正常な紙幣は、金種別紙幣収納庫２４に収納され、リジェクトと再識別されたリジェクト紙幣は、回収庫２５に収納する。
【００５７】
入金口５にセットされた紙幣がすべて処理されてなくなったことを検出すると（ステップｓ３３９）、紙葉類取扱装置２は、入金口５からの繰り出しを停止する（ステップｓ３４０）。また、搬送路２０に紙幣がないと（ステップｓ３４１）、搬送路２０の搬送動作を停止することとなる（ステップｓ３４２）。
【００５８】
その後、業務処理主制御部１０１は、上位通信制御部１０２を介してリジェクト処理が終了したことを窓口端末装置１に通知し（ステップｓ３４３）、払出し占有ランプを消灯し（ステップｓ３４５）、払出し処理を終了する。
【００５９】
このように、紙幣の払出し処理において、リジェクト紙幣を再識別でき、再度リジェクトと識別された場合、リジェクト紙幣を回収庫２５に収納することができる。したがって、回収庫２５に収納されたリジェクト紙幣を回収することができる。また、払出し処理において一度はリジェクト紙幣と識別されたが、再識別によって正常な紙幣と識別できた紙幣を払出し用に紙幣収納庫２４に戻すことができ、紙幣の再使用率を向上させることができる。
【００６０】
このような処理において、返却口７のシャッタは紙葉類取扱装置２の制御部で制御されているため、返却口７に収納されたリジェクト紙幣を誤って抜き取られることを防止することができる。
【００６１】
次に、上述した紙幣の預け入れ処理において、入金された金種の紙幣収納庫２４が満杯であった場合の処理について説明する。  
入金された金種の紙幣収納庫２４が満杯であった場合の処理は、上記紙幣の預け入れ処理（ステップｓ２０１〜ｓ２３１，図４）におけるステップｓ２０８を、以下に示すように変更すればよい。すなわち、識別部２２における識別の結果、識別の結果が正常かつ紙幣収納庫２４の設定された紙幣を一時保留部２６に収納した後に各紙幣収納庫２４に収納し、正常な紙幣と識別されたが金種別ユーロ収納庫の設定されていない紙幣を出金口６に収納し、取り扱い不可と識別されたリジェクト紙幣を返却口７に返却する処理に加えて、識別の結果が正常かつ紙幣収納庫２４の設定されているが該当する紙幣収納庫２４が満杯である紙幣を出金口６に搬送すればよい。
【００６２】
これにより、紙幣収納庫２４が設定されているものの、該当する紙幣収納庫２４が満杯で収納できない紙幣を紙葉類取扱装置２でカウントして管理しながら、手元金庫１６０で保管することができる。したがって、払出し用の紙幣として当該紙幣を再使用することができる。
【００６３】
上述したように、本実施例の窓口端末装置１及び紙葉類取扱装置２を用いることにより、受け入れた紙幣を識別部２２で識別し、リジェクト紙幣を返却口７まで搬送して返却し、正常な紙幣のうち紙幣収納庫２４が設定された金種の紙幣は該当する紙幣収納庫２４に収納し、紙幣収納庫２４が設定されていない金種の紙幣を出金口６まで搬送して出金することができる。
【００６４】
したがって、紙葉類取扱装置２内において正常な紙幣を金種別に収納し、紙幣収納庫２４が設定されていない金種の正常な紙幣を装置から出金して、装置外の手元金庫１６０で保管することができる。よって、紙葉類取扱装置２に装備した紙幣収納庫２４の金種数より取り扱う金種が多い場合であっても、各種紙幣を金種別に収納或いは保管でき、いずれに収納された紙幣であっても再使用することができる。また、リジェクトと識別されたリジェクト紙幣を受け入れずに返却するため、紙葉類取扱装置２で取り扱う紙幣にリジェクト紙幣が混ざることがなく、紙葉類取扱装置２で取り扱う紙幣の信頼性を向上することができる。
【００６５】
また、受入れた紙幣を一時的に保留する一時保留部２６を備え、制御部が紙幣収納庫２４の設定された金種の紙幣を、一時保留部２６に搬送して保留してから、該当する紙幣収納庫２４に搬送制御するため、例えば、紙幣預入処理において、紙幣収納庫２４の設定された金種の紙幣を一時保留部２６に搬送して保留し、リジェクト紙幣を返却口７に搬送し、紙幣収納庫２４の設定されていない金種の紙幣を出金口６に搬送してから、一時保留部２６に保留した紙幣収納庫２４の設定された金種の紙幣を該当する紙幣収納庫２４に振り分けて収納することができる。
【００６６】
したがって、預入された紙幣と、紙幣収納庫２４に収納した紙幣とを紙葉類取扱装置２内で確実に分離して取扱い、預入処理が確定した後に、一時保留部２６から紙幣収納庫２４に収納できる。
【００６７】
また、制御部が、紙幣収納庫２４に収納した紙幣の出金の際に、識別部２２でリジェクトと識別されたリジェクト紙幣を返却口７へ搬送制御し、識別部２２でリジェクト紙幣でないと識別された正常な紙幣を出金口６へ搬送制御するため、識別部２２でリジェクトと識別されたリジェクト紙幣を返却口７へ搬送し、正常な紙幣を出金口６へ搬送することができ、リジェクト紙幣を正常な紙幣と間違った使用を防止することができる。
【００６８】
また、紙幣収納庫２４を４つ備えるとともに、識別部２２が紙幣収納庫２４の設置数である４金種数以上の金種を識別することができるため、７金種あるようなユーロ紙幣であっても確実に識別して、紙幣収納庫２４が設定された金種の紙幣を該当する紙幣収納庫２４に収納するとともに、紙幣収納庫２４が設定されていない金種の紙幣を計数し管理することが可能になる。
【００６９】
また、制御部は、識別部２２により、正常な紙幣と識別されたが還流に適さないと識別された紙幣を還流不適紙幣として出金口６へ搬送制御することができるため、リジェクト紙幣でない正常な紙幣であっても、例えば、破れや劣化によって還流に適さない状態となった紙幣を出金口６から出金することができる。したがって、還流に適さない状態となった還流不適紙幣を回収することができる。
【００７０】
また、出金口６や返却口７に、制御部によって動作制御され、出金口６や返却口７に収容された紙幣の取り出しを規制するシャッタを備えたため、出金口６や返却口７に収容された紙幣の取り出しのタイミングをシャッタで規制することができる。したがって、返却口７と出金口６からの紙幣の間違った取出しを防止することができる。
【００７１】
また、紙幣を受入れる入金口５と、紙幣を出金する出金口６と、受入れた紙幣を金種別に収納する紙幣収納庫２４と、少なくとも紙幣の種別を識別する識別部２２と、紙幣を計数する計数部と、出金する紙幣の金種及び枚数を表示する表示装置１５１と、払出量を入力する入力装置と、少なくとも識別部２２、計数部、表示装置１５１及び入力装置を制御する制御部とを備えた紙葉類取扱装置２を用い、入金口５から受入れた紙幣を計数する計数工程と、受入れた紙幣のうち紙幣収納庫２４の設定された金種の紙幣を該当する紙幣収納庫２４へ収納し、紙幣収納庫２４の設定されていない金種の紙幣を出金口６に出金する紙幣振分け工程と、出金口６から出金された紙幣を手元保管庫に保管させる保管工程と、入力装置を操作して総払出量を入力させる総払出量入力工程と、入力された払出量に基づいて、紙幣収納庫２４に収容された紙幣と手元保管庫に保管された紙幣とのそれぞれの払出量を決定する払出量決定工程と、紙幣収納庫２４に収容された紙幣を、払出量決定工程で決定された払出量に基づいて出金口６へ出金する出金工程と、手元保管庫に保管された紙幣の払出量を表示装置１５１に表示する手元保管紙幣払出量表示工程と、表示装置１５１に表示された払出量を手元金庫１６０に保管した紙幣から払い出させる手元保管紙幣出金工程の紙幣取扱方法により、受入れた紙幣を全て計数し、紙幣収納庫２４の設定された金種の紙幣を該当する紙幣収納庫２４へ収納し、紙幣収納庫２４の設定されていない金種の紙幣を出金口６に出金して係員の手元の手元金庫１６０で保管することができる。したがって、装置内部の紙幣収納庫２４に収納した紙幣だけでなく、装置外部にある係員の手元の手元金庫１６０で保管されている紙幣も管理することができる。
【００７２】
また、払出しの際には、装置内部の紙幣収納庫２４に収納した紙幣だけでなく、装置から出金され手元金庫１６０で保管されている紙幣からも払い出すことができる。したがって、手元金庫１６０で保管されている紙幣も再使用することができ、例えば回収庫に回収して再使用できないような死に金をなくすことができる。
【図面の簡単な説明】
【００７３】
【図１】紙葉類取扱装置及び窓口端末装置の概観図。
【図２】紙葉類取扱装置の概略側方断面図。
【図３】紙葉類取扱装置の制御ブロック図。
【図４】紙幣預け入れ業務の処理フロー。
【図５】紙幣預け入れ業務の処理フロー。
【図６】紙幣預入処理における紙幣の取扱いについて説明する説明図。
【図７】紙幣預入処理における紙幣の搬送部位について説明する説明図。
【図８】紙幣預入処理における表示装置の表示について説明する説明図。
【図９】紙幣払出し処理の処理フロー。
【図１０】紙幣払出し処理における紙幣の搬送部位について説明する説明図。
【図１１】紙幣払出し処理における表示装置の表示について説明する説明図。
【図１２】リジェクト紙幣が生じた場合の紙幣払出し処理のうち追加されている部分の処理フロー。
【図１３】リジェクト紙幣が生じた場合の紙幣払出し処理における紙幣の搬送部位について説明する説明図。
【図１４】リジェクト紙幣が生じた場合の紙幣払出し処理における表示装置の表示について説明する説明図。
【符号の説明】
【００７４】
２…制御部紙幣取扱装置
５…入金口
６…出金口
７…返却口
２０…搬送路
２２…識別部
２４…紙幣収納庫
２６…一時保留部
１５２…入力装置
【図１】
0005100348.tif 000002
【図２】
0005100348.tif 000003
【図３】
0005100348.tif 000004
【図４】
0005100348.tif 000005
【図５】
0005100348.tif 000006
【図６】
0005100348.tif 000007
【図７】
0005100348.tif 000008
【図８】
0005100348.tif 000009
【図９】
0005100348.tif 000010
【図１０】
0005100348.tif 000011
【図１１】
0005100348.tif 000012
【図１２】
0005100348.tif 000013
【図１３】
0005100348.tif 000014
【図１４】
0005100348.tif 000015